(57)【要約】  【課題】  家庭内の電気電化品毎の電力使用量を表示し選択した電気電化品を制御するリモコンを提供する。  【解決手段】  各電化品から電化品毎の消費電力を測定し、測定した消費電力を送信する機能を有する電力計と無線通信可能なリモコン１１０であって、前記電力計に、電力計情報取得要求の信号を送信するとともに、前記電力計から前記測定された電化品毎の消費電力を受信する電力計用通信部３２８と、ネットワークを介して接続されたセンター１６０にセンター情報取得要求の信号を送信するとともに、センターから世帯毎に管理されている使用電力データと使用電力料金データを受信する通信局用通信部３２９と、前記電化品毎の消費電力と、前記使用電力データと使用電力料金データに基づいて表示データを生成する表示データ生成部３２６と、前記表示データを表示する表示部３２７を備える。【選択図】  図３
2006148450.tif 000002
【特許請求の範囲】
【請求項１】
各電化品から電化品毎の消費電力を測定し、測定した消費電力を送信する機能を有する電力計と無線通信可能なリモコンであって、
前記電力計に、電力計情報取得要求の信号を送信するとともに、前記電力計から前記測定された電化品毎の消費電力を受信する電力計用通信部と、
ネットワークを介して接続されたセンターにセンター情報取得要求の信号を送信するとともに、前記センターから世帯毎に管理されている使用電力データと使用電力料金データを受信する通信局用通信部と、
前記電化品毎の消費電力と、前記使用電力データと使用電力料金データに基づいて表示データを生成する表示データ生成部と、
前記表示データを表示する表示部とを備えること特徴とするリモコン。
【請求項２】
ユーザの指示を入力する操作部を備え、ユーザの指示により、前記電力計用通信部は、前記電力計情報取得要求の信号を前記電力計に送信することを特徴とする請求項１に記載のリモコン。
【請求項３】
前記電力計用通信部は、一定間隔で、前記電力計情報取得要求の信号を前記電力計に送信するとともに、一定間隔で、前記電力計から前記記憶された電化品毎の消費電力を受信することを特徴とする請求項１に記載のリモコン。
【請求項４】
前記電力計から受信する消費電力は、１２ヶ月前から当月当日まで１３ヶ月間の日々の消費電力であることを特徴とする請求項１に記載のリモコン。
【請求項５】
ユーザの指示を入力する操作部を備え、ユーザの指示により、前記通信局用通信部は、前記センター情報取得要求の信号を前記センターに送信することを特徴とする請求項１に記載のリモコン。
【請求項６】
前記各電化品毎の消費電力見込み値を示す省エネ判定値を手動によって設定する設定部と、その設定された省エネ判定値と、前記電力計から送信された各電化品毎の実際に使用された消費電力とを比較して、前記実際に使用された消費電力が前記省エネ判定値以上となった場合には、対応する電化品に対して省エネ運転モードの指示をする省エネ判断部とを備えることを特徴とする請求項１に記載のリモコン。
【請求項７】
前記省エネ判断部は、前記実際に使用された消費電力が前記省エネ判定値以上となった場合には、その差に応じたレベルの省エネ運転モードの指示をすることを特徴とする請求項６に記載のリモコン。
【請求項８】
前記設定部は、前記各電化品毎の消費電力見込み値を示す省エネ判定値を手動によって設定することにかえて、前記電力計から送信された１２ヶ月前の月の日毎の消費電力の積算量から自動的に設定することを特徴とする請求項６に記載のリモコン。
【請求項９】
リモコンと無線通信可能で、かつ電化品と電灯線で接続されている電力計であって、
各電化品から電化品毎の消費電力を測定する測定部と、
前記測定した消費電力を記憶する保存部と、
前記リモコンからの消費電力要求指示により、前記記憶された電化品毎の消費電力を前記リモコンに送信するリモコン用通信部と、
前記リモコンから受信した信号の内容を解析する解析部とを備えることを特徴とする電力計。
【請求項１０】
前記リモコンから省エネ運転モード指示の信号を受信したことを前記解析部が解析すると、対応する電化品に対して省エネ運転の指示を行う電化品制御部を備えることを特徴とする請求項９に記載の電力計。
【請求項１１】
前記リモコン用通信部は、一定間隔で、前記記憶された電化品毎の消費電力を前記リモコンに送信することを特徴とする請求項９に記載の電力計。
【請求項１２】
前記保存部が記憶する消費電力は、１２ヶ月前から当月当日まで１３ヶ月間の日々の消費電力であることを特徴とする請求項９に記載の電力計。
【請求項１３】
各電化品から電化品毎の消費電力を測定し、測定した消費電力を送信する機能を有する電力計と無線通信可能なリモコンを利用した電力制御方法であって、
前記電力計に、電力計情報取得要求の信号を送信するステップと、
前記電力計情報取得要求に応じて、前記電力計から送信される前記測定された電化品毎の消費電力を受信するステップと、
ネットワークを介して接続されたセンターにセンター情報取得要求の信号を送信するステップと、
前記センター情報取得要求に応じて、前記センターから送信される世帯毎に管理されている使用電力データと使用電力料金データを受信するステップと、
前記電化品毎の消費電力と、前記使用電力データと使用電力料金データに基づいて表示データを生成するステップと、
前記表示データを表示するステップを備えること特徴とするリモコンを利用した電力制御方法。
【請求項１４】
リモコンと無線通信可能で、かつ電化品と電灯線で接続されている電力計を利用した電力制御方法であって、
各電化品から電化品毎の消費電力を測定するステップと、
前記測定した消費電力を記憶するステップと、
前記リモコンから受信した信号の内容を解析するステップと、
前記受信した信号の内容が消費電力要求指示の場合に、前記記憶された電化品毎の消費電力を前記リモコンに送信するステップを備えることを特徴とする電力計を利用した電力制御方法。
【請求項１５】
各電化品から電化品毎の消費電力を測定し、測定した消費電力を送信する機能を有する電力計と無線通信可能なリモコンに、
前記電力計に、電力計情報取得要求の信号を送信するステップと、
前記電力計情報取得要求に応じて、前記電力計から送信される前記測定された電化品毎の消費電力を受信するステップと、
ネットワークを介して接続されたセンターにセンター情報取得要求の信号を送信するステップと、
前記センター情報取得要求に応じて、前記センターから送信される世帯毎に管理されている使用電力データと使用電力料金データを受信するステップと、
前記電化品毎の消費電力と、前記使用電力データと使用電力料金データに基づいて表示データを生成するステップと、
前記表示データを表示するステップを実行させることを特徴とする電力制御プログラム。
【請求項１６】
リモコンと無線通信可能で、かつ電化品と電灯線で接続されている電力計に、
各電化品から電化品毎の消費電力を測定するステップと、
前記測定した消費電力を記憶するステップと、
前記リモコンから受信した信号の内容を解析するステップと、
前記受信した信号の内容が消費電力要求指示の場合に、前記記憶された電化品毎の消費電力を前記リモコンに送信するステップを実行させることを特徴とする電力制御プログラム。
【発明の詳細な説明】
【技術分野】
【０００１】
本発明は、無線通信機能が付加された電力計およびリモコンを利用した家電向け用の電力制御方法、並びに、その方法に利用される電力計、リモコンに関するものである。
【背景技術】
【０００２】
従来の電力計およびリモコンを利用した電力測定システムとしては、家庭内で利用される全ての電力を集計し、その結果をリモコンに表示するものがあった（例えば、特許文献１参照）。図２は、前記特許文献１に記載された従来の電力計およびリモコンを利用した電力測定システムを示すものである。
図２において、給湯器制御用マイコンに備わる演算処理装置２３６は商用交流電源２３４の瞬時電圧値及び瞬時電流値を計測する電圧計測回路２３３および電流計測回路２３５から瞬時電圧値及び瞬時電流値を受け取って電力使用量または電力使用量相当量を算出していた。電力使用量または電力使用量相当量は、通信線２３２および通信回路２３１を介し、リモコン２１０へ送信され、リモコン２１０は電力使用量または電力使用量相当量を表示していた。
【特許文献１】特開２００３−２７９１１９号公報
【発明の開示】
【発明が解決しようとする課題】
【０００３】
しかしながら、前記従来の構成では、電圧計測回路２３３および電流計測回路２３５が給湯器２２０内に格納されていることより、電力計測場所は給湯器２２０の設置場所に限定されていたので、家庭内の電化品（電器機器）毎の計測が困難という課題を有していた。また、前記従来の構成では、電力使用量または電力使用量相当量がリモコン２１０に表示されるが、給湯器２２０毎のリモコン２１０であるので、家庭内の電化品毎の表示ができないという課題を有していた。更に、前記従来の構成では、電化品毎の制御についての構成がないので、電化品毎の制御ができないという課題を有していた。
【０００４】
そこで本発明は、前記従来の課題を解決するもので、家庭内の電化品毎の電力使用量を表示し、選択した電化品を制御する電力制御方法及びその方法に利用されるリモコン及び電力計を提供することを目的とする。
【課題を解決するための手段】
【０００５】
前記従来の課題を解決するために、本発明のリモコンは、各電化品から電化品毎の消費電力を測定し、測定した消費電力を送信する機能を有する電力計と無線通信可能なリモコンであって、
前記電力計に、電力計情報取得要求の信号を送信するとともに、前記電力計から前記測定された電化品毎の消費電力を受信する電力計用通信部と、ネットワークを介して接続されたセンターにセンター情報取得要求の信号を送信するとともに、前記センターから世帯毎に管理されている使用電力データと使用電力料金データを受信する通信局用通信部と、前記電化品毎の消費電力と、前記使用電力データと使用電力料金データに基づいて表示データを生成する表示データ生成部と、前記表示データを表示する表示部とを備えること特徴とする。
【０００６】
また、本発明は、ユーザの指示を入力する操作部を備え、ユーザの指示により、前記電力計用通信部は、前記電力計情報取得要求の信号を前記電力計に送信することを特徴とする。
また、本発明は、前記電力計用通信部は、一定間隔で、前記電力計情報取得要求の信号を前記電力計に送信するとともに、一定間隔で、前記電力計から前記記憶された電化品毎の消費電力を受信することを特徴とする。
また、本発明は、前記電力計から受信する消費電力は、１２ヶ月前から当月当日まで１３ヶ月間の日々の消費電力であることを特徴とする。
また、本発明は、ユーザの指示を入力する操作部を備え、ユーザの指示により、前記通信局用通信部は、前記センター情報取得要求の信号を前記センターに送信することを特徴とする。
【０００７】
また、本発明は、前記各電化品毎の消費電力見込み値を示す省エネ判定値を手動によって設定する設定部と、その設定された省エネ判定値と、前記電力計から送信された各電化品毎の実際に使用された消費電力とを比較して、前記実際に使用された消費電力が前記省エネ判定値以上となった場合には、対応する電化品に対して省エネ運転モードの指示をする省エネ判断部とを備えることを特徴とする。
また、本発明は、前記省エネ判断部は、前記実際に使用された消費電力が前記省エネ判定値以上となった場合には、その差に応じたレベルの省エネ運転モードの指示をすることを特徴とする。
また、本発明は、前記設定部は、前記各電化品毎の消費電力見込み値を示す省エネ判定値を手動によって設定することにかえて、前記電力計から送信された１２ヶ月前の月の日毎の消費電力の積算量から自動的に設定することを特徴とする。
【０００８】
また、本発明の電力計は、リモコンと無線通信可能で、かつ電化品と電灯線で接続されている電力計であって、
各電化品から電化品毎の消費電力を測定する測定部と、前記測定した消費電力を記憶する保存部と、前記リモコンからの消費電力要求指示により、前記記憶された電化品毎の消費電力を前記リモコンに送信するリモコン用通信部と、前記リモコンから受信した信号の内容を解析する解析部とを備えることを特徴とする。
また、本発明は、前記リモコンから省エネ運転モード指示の信号を受信したことを前記解析部が解析すると、対応する電化品に対して省エネ運転の指示を行う電化品制御部を備えることを特徴とする。
さらに、本発明は、前記リモコン用通信部は、一定間隔で、前記記憶された電化品毎の消費電力を前記リモコンに送信することを特徴とする。
また、前記保存部が記憶する消費電力は、１２ヶ月前から当月当日まで１３ヶ月間の日々の消費電力であることを特徴とする。
【０００９】
また、本発明のリモコンを利用した電力制御方法は、各電化品から電化品毎の消費電力を測定し、測定した消費電力を送信する機能を有する電力計と無線通信可能なリモコンを利用した電力制御方法であって、
前記電力計に、電力計情報取得要求の信号を送信するステップと、前記電力計情報取得要求に応じて、前記電力計から送信される前記測定された電化品毎の消費電力を受信するステップと、ネットワークを介して接続されたセンターにセンター情報取得要求の信号を送信するステップと、前記センター情報取得要求に応じて、前記センターから送信される世帯毎に管理されている使用電力データと使用電力料金データを受信するステップと、
前記電化品毎の消費電力と、前記使用電力データと使用電力料金データに基づいて表示データを生成するステップと、前記表示データを表示するステップを備えること特徴とする。
【００１０】
また、本発明の電力計を利用した電力制御方法は、リモコンと無線通信可能で、かつ電化品と電灯線で接続されている電力計を利用した電力制御方法であって、
各電化品から電化品毎の消費電力を測定するステップと、前記測定した消費電力を記憶するステップと、前記リモコンから受信した信号の内容を解析するステップと、前記受信した信号の内容が消費電力要求指示の場合に、前記記憶された電化品毎の消費電力を前記リモコンに送信するステップを備えることを特徴とする。
【００１１】
また、本発明の電力制御プログラムは、各電化品から電化品毎の消費電力を測定し、測定した消費電力を送信する機能を有する電力計と無線通信可能なリモコンに、
前記電力計に、電力計情報取得要求の信号を送信するステップと、前記電力計情報取得要求に応じて、前記電力計から送信される前記測定された電化品毎の消費電力を受信するステップと、ネットワークを介して接続されたセンターにセンター情報取得要求の信号を送信するステップと、前記センター情報取得要求に応じて、前記センターから送信される世帯毎に管理されている使用電力データと使用電力料金データを受信するステップと、
前記電化品毎の消費電力と、前記使用電力データと使用電力料金データに基づいて表示データを生成するステップと、前記表示データを表示するステップを実行させることを特徴とする。
【００１２】
また、本発明の電力制御プログラムは、リモコンと無線通信可能で、かつ電化品と電灯線で接続されている電力計に、
各電化品から電化品毎の消費電力を測定するステップと、前記測定した消費電力を記憶するステップと、前記リモコンから受信した信号の内容を解析するステップと、前記受信した信号の内容が消費電力要求指示の場合に、前記記憶された電化品毎の消費電力を前記リモコンに送信するステップを実行させることを特徴とする。
【発明の効果】
【００１３】
本発明によれば、ユーザは、家庭内で使用される電化品毎の電力使用量を１台のリモコンによって手元で知ることができる。
つまり、ユーザは、電力計から取得した電化品毎の消費電力と、ネットワークを介して接続されたセンターから取得した世帯毎に管理されている使用電力データと使用電力料金データに基づいて生成された表示、例えば、当月当日までの全消費電力とそれに対応した使用電力料金、及び電化品毎の消費電力とそれに対応した使用電力料金の表示をリモコンの画面で確認することによって、ユーザの省電力、省エネルギーに対する意識が向上する。また、これによりユーザは、消費電力の大きい電化品に対して省エネ運転を設定したり、運転を止めたりすることができる。
また、ユーザは、電力計から取得した全消費電力に対する、電化品毎の消費電力の割合をリモコンの画面で確認することによって、消費電力の大きい電化品を一目で把握することができる。
【００１４】
また、本発明によれば、実際に使用された消費電力が省エネ判定値以上となった場合には、省エネ判断部が対応する電化品に対して省エネ運転モードの指示を行うので、ユーザは自らの手で省エネ運転に切り替える必要がなく利便性に富む。
さらに、本発明によれば、省エネ判定値は、電力計から送信された１２ヶ月前の月の日毎の消費電力の積算量から自動的に設定することができるが、ユーザの手動によっても設定することができるので、ユーザの自由な意思にしたがって電化品毎に省エネ運転を指示することができる。
【発明を実施するための最良の形態】
【００１５】
以下本発明の実施の形態について、図面を参照しながら説明する。
図１は、本発明の実施形態における家電向け用の電力制御システムの構成を示すブロック図である。
この電力制御システムは、無線通信１９１〜１９３の機能が付加された電力計１３１〜１３３およびユーザ１００によって操作されるリモコン１１０から主に構成されている。電力計Ａ，Ｂ，Ｃ（１３１，１３２，１３３）は電化品Ａ，Ｂ，Ｃ（電化品としたテレビ１２１，冷蔵庫１２２，電子レンジ１２３）の各消費電力を測定する。またリモコン１１０は通信局１４０と無線通信１８０可能であり、ネットワーク１５０を介して接続されたセンター（ｗｅｂサイト）１６０と情報の送受信が可能である。
【００１６】
リモコン１１０は、図３に示すように、電力計１３１〜１３３向けのアンテナ３３１，通信局１４０向けのアンテナ３３０，電力計用通信部３２８，通信局用通信部３２９，操作部３２１，要求生成部３２２，省エネ判断部３２３，解析部３２４，保存部３２５，表示データ生成部３２６，表示部３２７から構成されている。
電力計用通信部３２８は、電力計１３１〜１３３に、要部生成部３２２で生成された電力計情報取得要求の信号や省エネ動作要求の信号を送信するとともに、電力計１３１〜１３３で測定された各電化品毎の消費電力を受信する。通信局用通信部３２９は、ネットワーク１５０を介して接続されたセンター１６０に要部生成部３２２で生成されたセンター情報取得要求の信号を送信するとともに、センター１６０から世帯毎に管理されている使用電力データ（具体的には例えば、前年同月の積算量）と使用電力料金（電気使用料金）データ（具体的には例えば、１２ヶ月前から当月までの月毎の使用料金単価）からなるセンター情報を受信する。要求生成部３２２は、上述した電力計情報取得要求やセンター情報取得要求の生成の他に、省エネにする必要があるか否かの判定の指標となり、各電化品毎の消費電力見込み値を示す省エネ判定値についても生成する。解析部３２４は、電力計用通信部３２８から受信した電力計情報の解析を行う。省エネ判断部３２３は、各電化品毎の省エネ判定値と、電力計から送信された各電化品毎の実際に使用された消費電力とを比較して、実際に使用された消費電力が省エネ判定値以上となった場合には省エネ動作にする必要があると判断する。そして、表示データ生成部３２６は、表示部３２７に表示するデータを保存部３２６に記憶されたデータや解析部３２４で解析された結果やセンター情報に基づいて生成する。
【００１７】
また電力計１３１（その他の電力計１３２，１３３についても同様の構成である）は、図４に示すように、リモコン１１０向けのアンテナ４７１，リモコン用通信部４４１，解析部４４２，電化品制御部４４３，赤外線を介して赤外線ポート４７２との間に接続された赤外線利用電化品用通信部４４４，電力線４６１を介してコンセント４７３との間に接続された電力線利用電化品用通信部４４５，測定部４４８，積算部４４９，異常検出部４５０，保存部４４７，取得部４４６から構成されている。
測定部４４８は、赤外線利用電化品用通信部４４４又は電力線利用電化品用通信部４４５を介して各電化品から電化品毎の消費電力を測定し、その結果を保存部４４７，積算部４４９，異常検出部４５０に出力する。積算部４４９は、測定部４４８が測定した日々の消費電力を積算して保存部４４７に記憶する。異常検出部４５０は、測定部４４８の測定結果から電化品に対して漏電や短絡の可能性があるか否かを検出する。リモコン用通信部４４１は、リモコン１１０から送信される信号を受信するとともに、保存部４４７に記憶された電化品毎の消費電力を取得部４４６で取得してリモコン１１０に送信する。解析部４４２は、リモコン用通信部４４１を介して受信したリモコン１１０から送信された信号の内容を解析し、その信号が電力計情報取得要求の信号であれば、その旨を取得部４４６に出力し、その信号が省エネ動作の要求を示す信号であれば、その旨を電化品制御部４４３に出力する。そして、電化品制御部４４３は赤外線利用電化品用通信部４４４又は電力線利用電化品用通信部４４５を介して対応する電化品に省エネ動作を実行させる。なお、電化制御部４４３は、電化品への給電を開始、停止することにより、電化品を電源ＯＮあるいはＯＦＦにすることができる。
【００１８】
次に、本発明の実施形態の家電向け用の電力源制御システムにおけるリモコン１１０を利用して電力計情報を取得する手順について説明する。
電力計情報を取得する方法としては、図５に示すように、リモコン１１０と電力計との関係が１対１になるように、リモコン１１０が１つの電力計Ａ（１３１）に対して電力計情報取得要求Ａを行い、その電力計Ａ（１３１）から電力計情報Ａを取得する場合と、図７に示すように、リモコン１１０と電力計との関係が１対ｎになるように、リモコン１１０が複数（ここでは３つの場合を示したがその数には限定されない）の電力計Ａ，Ｂ，Ｃ（１３１，１３２，１３３）に対して電力計情報取得要求Ａ，Ｂ，Ｃを同時に行い、それら電力計Ａ，Ｂ，Ｃ（１３１，１３２，１３３）から電力計情報Ａ，Ｂ，Ｃをそれぞれ取得する場合がある。
【００１９】
リモコン１１０と電力計との関係が１対１になる場合の電力計情報取得シーケンスは、図６に示すように、ユーザ１００から電力計情報取得操作が操作部３２１で入力されると、操作部３２１で電力計情報取得操作の受付け６０１を行い、要求生成部３２２で電力計情報取得要求の信号の生成６０２を行う。そして、電力計用通信部３２８が、１つの電力計に対して、電力計情報取得要求の信号を送信する。
【００２０】
これに対応して、電力計では、リモコン用通信部４４１が電力計情報取得要求の信号を受信すると、解析部４４２がその要求内容の解析６０３を行い、その内容が電力計情報取得要求の信号の場合には、取得部４４６にその旨を出力する。そして、取得部４４６が保存部４４７から電力計情報の読出６０４を行い、その情報をリモコン用通信部４４１に出力する。リモコン用通信部４４１によって取得部４４６から入力された電力計情報がリモコン１１０側に送信される。
このとき、保存部４４７には、図１６に示すように、現在の電気使用量（単位  Ｗ）１６０１と、１２ヶ月前から当月当日まで１３ヶ月分の日々の電気使用量（単位  Ｗｈ）１６０２と、漏電、短絡などの異常を通知するためのフラグ１６０３（電化品に異常があればＯＮ（１）、異常がなくなればＯＦＦ（０）となる）といった情報が記憶されている。
【００２１】
図６に戻り、電力計情報が電力計から送信されると、その情報をリモコン１１０の電力計用通信部３２８が受信し、解析部３２４が電力計情報の解析６０５を行い、その情報を表示データ生成部３２６に出力する。表示データ生成部３２６では、保存部３２５から保存済電力計情報の読出６０６を行い、その情報を解析部３２４から入力された電力計情報に更新し６０７、保存する６０８。また、表示データ生成部３２６は通信局用通信部３２９が受信したセンター１６０から情報の読出６０９を行う。
【００２２】
ここで、センター１６０から送信されるセンター情報は、図９に示すように、リモコン１１０からセンター情報取得要求の信号を通信局１４０，ネットワーク１５０を通じてセンター１６０に送信することによってセンター１６０から送信される。
センター情報の取得は、図１０に示すシーケンスのように、ユーザ１００からセンター情報取得操作が操作部３２１で入力されると、操作部３２１でセンター情報取得操作の受付け１００１を行い、要求生成部３２２でセンター情報取得要求の信号の生成１００２を行う。そして、通信局用通信部３２９が、通信局１４０に対して、センター情報取得要求の信号を送信する。これに対応して、通信局１４０では、ネットワーク１５０を介してセンター１６０からセンター情報を取得し、リモコン１１０側にセンター情報が送信される。そして、通信局１４０から送信されたセンター情報は、リモコン１１０の通信局用通信部３２９で受信され、表示データ生成部３２６から保存部３２５に入力され、保存（記憶）されるようになっている１００３。そして、表示データ生成部３２６によって表示用データが生成され１００４、表示部３２７に例えば、「センター情報を取得しました」というようなメッセージが表示される１００５。
センター情報は、図１７に示すように、前年同月の積算量（単位  Ｗｈ）１７０１と、１２ヶ月前から当月まで１３ヶ月分の月毎の電気使用料金の単価（単位  円／Ｗｈ）１７０２からなる。
【００２３】
これにより、保存部３２５で記憶されている情報は、図１８に示すように、電力計情報から得られた現在の電気使用量１６０１（単位  Ｗ），１３ヶ月分の１日毎の電気使用量（単位  Ｗｈ）１６０２と、センター情報から得られた前年同月の積算量（単位  Ｗｈ）１７０１，１２ヶ月前から当月まで１３ヶ月分の月毎の電気使用料金の単価（単位  円／Ｗｈ）１７０２と、それに加えて、前年同月，前月，当月といった１ヶ月分の電気使用量（単位  Ｗｈ）１８０１と、省エネ判断部３２３が省エネの要不要を判定するための値となり電化品毎に保持される省エネ判定値（単位  Ｗｈ）１８０２からなる。なお、１ヶ月分の電気使用量（単位  Ｗｈ）１８０１は、表示データ生成部３２６によって、１３ヶ月分の１日毎の電気使用量（単位  Ｗｈ）１６０２から算出されたものである。また、省エネ判定値（単位  Ｗｈ）１８０２は、詳細については後述するが、要求生成部３２２によって生成されたものである。
【００２４】
再度、図６に戻り、表示データ生成部３２６はセンター情報と更新済電力計情報から表示用データの生成６１０を行う。そして、その表示用データが表示部３２７で表示６１１される。この表示されたデータをユーザ１００は確認することができる。
【００２５】
また、図７で示したように、リモコン１１０と電力計との関係が１対ｎになる場合の電力計情報取得シーケンスは、図８に示すように、ユーザ１００からの電力計情報取得操作が操作部３２１で入力されると、要求生成部３２２で電力計情報取得要求Ａ，Ｂ，Ｃが生成され、電力計Ａ，Ｂ，Ｃ側に送信される。これに対応して電力計Ａ，Ｂ，Ｃから電力計情報Ａ，Ｂ，Ｃがリモコン１１０側に送信され、表示データ生成部３２６で、電力計情報Ａ，Ｂ，Ｃに基づいて更新された更新済電力計情報と、通信局用通信部３２９が受信したセンター情報から表示用データが生成され、生成された表示用データ、電力計Ａ，Ｂ，Ｃの例では３件分の情報が表示部３２７に表示される。この表示されたデータをユーザ１００は一画面で、あるいは画面をスクロールさせることによって同時に確認することができる。
【００２６】
次に、上述した省エネ判定値を使用した省エネ判断について、図１１，図１２のシーケンスを参照して説明する。図１１に示すシーケンスは、ユーザ１００が、リモコン１１０に対し、省エネ情報を設定した時、省エネ情報の設定が終了すると、省エネ設定が完了した旨を表示するというものであり、図１２に示すシーケンスは、リモコン１１０が、電力計に対し、省エネ動作が必要であると判断した時、自動的に省エネ運転の指示を行うようにしたものである。
図１１に示すシーケンスは、ユーザ１００から省エネ設定操作が操作部３２１で入力されると、操作部３２１で省エネ設定操作の受付け１１０１を行い、要求生成部３２２で省エネ判定値の生成１１０２を行う。そして、生成された省エネ判定値を保存部３２５に保存する１１０３。その後、保存部３２５は省エネ判定値が設定されたことを要求生成部３２２に通知する。そして要求生成部３２２は解析部３２４に対して省エネ判断通知設定を行う。そして解析部３２４は省エネ判断通知設定が行われたことを要求生成部３２２に通知する。そして表示用データの生成指示が要求生成部３２２で行われ、表示データが表示データ生成部３２６で生成され、表示部３２７で、「省エネ設定をしています」という表示を行い、リモコン１１０が「省エネ設定」となったことをユーザ１００に知らせる。この時、電力計に対しては、省エネ動作要求は行わない。
【００２７】
また、図１２に示すシーケンスでは、電力計の取得部４４６が保存部４４７から電力計情報を読出し、その情報をリモコン用通信部４４１からリモコン１１０側に送信する。そして、電力計情報が解析部３２４で解析され、解析部３２４が省エネ判断通知設定されている場合、省エネ判断部３２３に出力される。そして、省エネ判断部３２３で省エネ判断１２０１がされると、省エネ判断部３２３は要求生成部３２２に対して省エネ動作を要求する。省エネ動作の要求があると、要求生成部３２２で省エネ動作要求の信号が生成され１２０２、その信号が電力計用通信部３２８から電力計に送信される。
電力計では、リモコン１１０からの信号をリモコン用通信部４４１で受信して、その内容を解析部４４２で解析する。そして、信号の内容が省エネ動作要求を示すものであれば、その旨を電化品制御部４４３に出力し、電化品制御部４４３によって省エネ動作設定１２０３が電化品に対して行われる。これによれば、省エネをする必要があると判断されると、対応する電化品が自動的に省エネ動作に設定される。
そして、表示データ生成部３２６で保存済電力計情報は新しく受信された電力計情報に更新され保存部３２５に保存される。さらに、表示データ生成部３２６は表示用データの生成を行い、表示部３２７で、図１３の１３０４に示すような電化品の一覧を示す画面が表示される。
【００２８】
次に、図１３に示すリモコン１１０の表示部３２７による表示と、図１９乃至図２４に示すフローチャートを参照して本発明の実施形態に係る電力制御システムの処理内容の一例について説明する。
まず、図１９に示すように、リモコン１１０側でユーザ１００による操作部３２１からの操作受付があるか否か判断され（ステップＳ１９０１）、操作受付があると、その内容が電化品制御に関するものか否か判断される（ステップＳ１９０８）。そして、電化品制御に関するものであれば、図１３の１３０１に示すような初期画面が表示され、省エネ設定の操作がされたか、あるいは電力計情報読取の操作がされたか判断される（ステップＳ１９０２，１９０４）。そして、省エネ設定の操作がされた場合には、図２０に示すような、省エネ設定処理が行われ（ステップＳ１９０３）、図１３の１３０６に示すような自動設定か手動設定か選択を要求する画面が表示される。また、電力計情報取得の操作がされた場合には、図２１に示すような、電力計情報取得処理が行われ（ステップＳ１９０５）、図１３の１３０２に示すような「電化品情報を取得しています」といった内容のお知らせを示す画面が表示される。ステップＳ１９０８で電化品制御に関するものでなければ、センター情報取得の操作がされたか否か判断され（ステップＳ１９０６）、センター情報取得の操作であれば、図２３に示すような、センター情報取得処理が行われる（ステップＳ１９０７）。
【００２９】
図１９のステップＳ１９０３の省エネ設定処理は、図２０に示すように、まず、設定方法の選択が自動であるか手動であるか判断される（ステップＳ２００１）。そして、手動選択であれば、図１３の１３０９に示すような省エネ手動設定の入力画面が表示され、ユーザ１００によって決定が選択されると、入力された電化品全体の月単位の金額、電化品毎の割合が取得され（ステップＳ２００５）、図１３の１３０７に示すような「電化品情報取得後、省エネ設定を行います」といった内容のお知らせを示す画面が表示される。
なお、図１３の１３０９に示すような省エネ手動設定の入力画面は、図１５に示すように、当月使用する電気代の計画金額が入力される「全体」の部分１５０１と、省エネ設定可能な電化品の一覧の部分（ここではテレビ，冷蔵庫，エアコンを例に示したが限定されるものではない）１５０２と、各電化品の全体に対する電気代の割合が入力される電化品の百分率値の部分１５０３と、「全体」の部分１５０１の金額に電化品の百分率値の部分１５０３を乗じた値とする電化品毎金額の部分１５０４と、入力を決定する際に選択する決定ボタン１５０５と、カーソル１５０６からなる。
次に、手動時の省エネ判定値の生成が要求生成部３２２で行われる（ステップＳ２００６）。
手動時の省エネ判定値は、省エネ設定にてユーザ１００が設定した電化品全体の月単位の金額と、電化品毎の割合から電化品毎の月単位の金額を算出し、その算出結果を予めセンター情報から取得した当月の使用料金単価（なお、この当月の使用料金単価は、ユーザ１００が知っていれば直接入力することも可能である）で割った値（単位  Ｗｈ）としている。
【００３０】
一方、ステップＳ２００１において設定方法の選択が自動選択であれば、省エネ判断部３２３は保存部３２５に１２ヶ月前の月の日毎の電化品単体の積算量が存在する（有効）か存在しない（無効）かを判断する（ステップＳ２００２）。存在しない（無効）場合には、表示データ生成部３２６で表示用データを生成し、表示部３２７で表示する（ステップＳ２００３，２００４）した後、ステップＳ２００５に戻る。１２ヶ月前の月の日毎の電化品単体の積算量が存在しない場合には、図１３の１３０８に示すような「自動設定できません  手動設定してください」といった内容のお知らせを示す画面が表示され、次に省エネ手動設定の入力画面１３０９が表示される。
１２ヶ月前の月の日毎の電化品単体の積算量が存在する（有効）の場合には、電化品単体に関する１２ヶ月前の月の積算量を日毎の積算量から算出し（ステップＳ２００７）、算出した値（単位  Ｗｈ）を、自動時の省エネ判定値として要求生成部３２２で生成される（ステップＳ２００８）。そして、図１３の１３０７に示すような「電化品情報取得後、省エネ設定を行います」といった内容のお知らせを示す画面が表示される。
【００３１】
そして、ステップＳ２００６やステップＳ２００８で生成された手動時又は自動時の省エネ判定値は、保存部３２５に保存され（ステップＳ２００９）、次に図２１に示すような、電力計情報取得処理が行われ（ステップＳ２０１０）、図１３の１３０２に示すような「電化品情報を取得しています」といった内容のお知らせを示す画面が表示され、処理が終了する（ステップＳ２０１１）。
【００３２】
次に、図１９のステップＳ１９０５及び図２０のステップＳ２０１０の電力計情報取得処理は、図２１に示すように、まず、電力計情報取得要求の信号が要求生成部３２２で生成され（ステップＳ２１０１）、電力計通信部３２８からその電力計情報取得要求の信号が送信される（ステップＳ２１０２）。そして、要求に対応して電力計から送信される電力計情報を受信するまで待機し、受信すると（ステップＳ２１０３）、電力計情報を解析部３２４で解析し（ステップＳ２１０４）、電化品に漏電や短絡等があることを示す異常通知があるか否かを判断する（ステップＳ２１０５）。異常通知があると、表示データ生成部３２６によって異常通知に関する表示用データが生成され（ステップＳ２１０６）、その内容が表示部３２７に表示される（ステップＳ２１０７）。例えば、エアコンに異常が発生した場合には、図１３の１３１０に示すような、「エアコンが異常です  確認してください」といった内容のお知らせを示す画面が表示される。一方、特に異常通知がないと、図２２に示すような、省エネ判定処理が行われる（ステップＳ２１０８）。
【００３３】
ここで、省エネ判定処理（ステップＳ２１０８）では、図２２に示すように、省エネ判断部３２３で、電化品単体の当月当日までの電気使用量が積算され（ステップＳ２２０１）、算出された当月使用量と、保存部３２５に保存されていた省エネ判定値とが比較される（ステップＳ２２０２）。省エネ設定が手動設定の場合には、図２０のステップＳ２００６のように、省エネ判定値は、ユーザ１００が設定した電化品毎の月単位金額を当月の使用料金単価で割った値（単位  Ｗｈ）となるので、省エネ判定は、当月使用量がユーザ１００の設定値以上になるか否かによって決定される。これに対して、省エネ設定が自動設定の場合には、図２０のステップＳ２００８のように、省エネ判定値は、電化品単体に関する１２ヶ月前の月の積算量（単位  Ｗｈ）となるので、省エネ判定は、当月使用量が前年同月の使用量以上になるか否かによって決定される。
そして、ステップＳ２２０２で当月使用量が省エネ判定値以上であれば、省エネ動作要求の信号が要求生成部３２２で生成され（ステップＳ２２０３）、電力計用通信部３２８から電力計に送信される（ステップＳ２２０４）。一方、ステップＳ２２０２で当月使用量が省エネ判定値未満であれば、省エネ動作要求は行われない。そして、省エネ動作要求を行う、行わないに関わらず、表示用データが表示データ生成部３２６で生成され（ステップＳ２２０５）、表示部３２７にその内容が表示される（ステップＳ２２０６）。そして、処理を終了する（ステップＳ２２０７）。このとき、表示部３２７には、図１３の１３０４に示すような、電化品の一覧が表示される。
【００３４】
図２１に戻り、ステップＳ２１０８で省エネ判定がされると、表示データ生成部３２６で保存済電力計情報が保存部３２５から読出され（ステップＳ２１０９）、読出された電力計情報がステップＳ２１０３で受信された電力計情報に更新され（ステップＳ２１１０）、再度保存される（ステップＳ２１１１）。そして、表示データ生成部３２６でさらにセンター情報が保存部３２５から読出され（ステップＳ２１１２）、更新された電力計情報とセンター情報から表示用データが生成され（ステップＳ２１１３）、表示部３２７において表示される。このとき、表示部３２７には、図１３の１３０５に示すような、電化品毎の電気使用量が金額として画面に表示され、処理が終了する（ステップＳ２１１５）。
なお、図１３の１３０５に示すような電化品毎の電気使用量表示画面は、図１４に示すように、ユーザ１００が手動の省エネ設定によって決定した全体の金額の部分１４０１と、当月，前月，前年における電化品単体の全体に対する単体の割合とその金額の部分１４０２と、省エネ設定を行う際の選択ボタン１４０３と、初期画面１３０１に戻る際の選択ボタン１４０４と、カーソル１４０５からなる。この電気使用量表示画面１３０５によれば、家庭内の電化品（電気電化品）毎の表示が可能となり、しかも、必要であれば、対応する電化品を省エネ動作に自動的に設定、あるいはユーザ１００によって設定できるといったように電化品（電気電化品）毎の制御も可能となる。
【００３５】
次に、図１９のステップＳ１９０７のセンター情報取得処理は、図２３に示すように、まず、センター情報取得要求の信号が要求生成部３２２で生成され（ステップＳ２３０１）、通信局用通信部３２９からそのセンター情報取得要求の信号が送信される（ステップＳ２３０２）。そして、要求に対応してセンター１６０から送信されるセンター情報を受信するまで待機し、受信すると（ステップＳ２３０３）、センター情報が保存部３２５に保存される（ステップＳ２３０４）。そして、表示データ生成部３２６でセンター情報から表示用データが生成され（ステップＳ２３０５）、表示部３２７において表示される（ステップＳ２３０６）。そして、処理が終了する（ステップＳ２３０７）。
【００３６】
以上、図１９乃至図２３ではリモコン１１０側のフローチャートを示した。次に、電力側のフローチャートを図２４に示して説明する。
電力側では、まず、測定部４４８によって電力の測定が行われ（ステップＳ２４０１）、現在の電気使用量が更新され（ステップＳ２４０２）、当月当月の積算量も更新される（ステップＳ２４０３）。漏電や短絡の検出を行い（ステップＳ２４０４）、検出しない場合には、異常通知のフラグをＯＦＦ（０）にするが（ステップＳ２４０５）、漏電や短絡を検出した場合には、異常通知のフラグをＯＮ（１）にする（ステップＳ２４０６）。
【００３７】
そして、リモコン１１０側から要求信号をリモコン用通信部４４１で受信すると（ステップＳ２４０７）、その要求信号が、電力計情報取得要求の信号かあるいは省エネ動作要求の信号かを解析部４４２で判断する（ステップＳ２４０８，２４１１）。要求信号が電力計情報取得要求の信号であれば、取得部４４６が電力計情報を保存部４４７から読出し（ステップＳ２４０９）、リモコン用通信部４４１を介して電力計情報をリモコン１１０側に送信する（ステップＳ２４１０）。また、要求信号が省エネ動作要求の信号であれば、電化品制御部４４３が省エネ動作を設定し（ステップＳ２４１２）、赤外線利用電化品用通信部４４４又は電力線利用電化品用通信部４４５を介して対応する電化品に省エネ動作設定を送信する（ステップＳ２４１３）。これによって、対応する電化品において省エネ動作が実行される。
【００３８】
なお、本発明の実施形態では、表示部３２７を持つ装置として通常のリモコン１１０を端末として使用したが、これに限らず、リモコンとして携帯電話、テレビ、パソコン等のモニタなど表示するための機能がある装置を利用しても良い。
【００３９】
また、本発明の実施形態では、電力計情報取得要求の信号やセンター情報取得要求の信号はユーザ１００の指示によってリモコン１１０から送信されるようになっていたが、一定間隔で自動的に送信するようにしてもよい。あるいは、リモコン１１０の電力計用通信部３２８による電力計情報の受信を一定間隔で行うようにしてもよい。さらに、電力計側のリモコン用通信部４４１による電力計情報の送信を一定間隔で行うようにしてもよい。
また、リモコン１１０の省エネ判断部３２３の判断により、実際に使用された消費電力が省エネ判定値以上となった場合に、対応する電化品に省エネ動作を実行させるようにしたが、実際に使用された消費電力が省エネ判定値以上となった場合に、その差に応じたレベルで、段階的に省エネ動作を実行させるようにすることも可能である。
【産業上の利用可能性】
【００４０】
本発明にかかる電力制御システムは、電力計とリモコンを有し、家庭内での電化品（電気電化品）毎の電力使用量を把握することにより、ユーザの省電力、省エネルギーに対する意識を向上させ、更に、電力を制御するリモコンが１台となることにより、利用者の利便性が向上する等有用である。
【図面の簡単な説明】
【００４１】
【図１】本発明の実施の形態における電力制御システムの構成を示す図
【図２】従来の電力計およびリモコンを利用した電力測定システムの構成を示す図
【図３】本発明の実施の形態における電力制御システムで利用されるリモコンの構成を示す図
【図４】本発明の実施の形態における電力制御システムで利用される電力計の構成を示す図
【図５】本発明の実施の形態における電力制御システムにて１台の電力計から電力計情報を取得する状態を示す図
【図６】本発明の実施の形態における電力制御システムにて１台の電力計から電力計情報を取得するシーケンスを示す図
【図７】本発明の実施の形態における電力制御システムにて複数台の電力計から電力計情報を取得する状態を示す図
【図８】本発明の実施の形態における電力制御システムにて複数台の電力計から電力計情報を取得するシーケンスを示す図
【図９】本発明の実施の形態における電力制御システムにてセンター情報を取得する構成を示す図
【図１０】本発明の実施の形態における電力制御システムにてセンター情報を取得するシーケンスを示す図
【図１１】本発明の実施の形態における電力制御システムにて省エネ情報設定のシーケンスを示す図
【図１２】本発明の実施の形態における電力制御システムにて省エネ運転指示のシーケンスを示す図
【図１３】本発明の実施の形態における電力制御システムで利用されるリモコンの表示例を示す図
【図１４】図１３に示す電化品毎の電気使用量表示画面を示す図
【図１５】図１３に示す省エネ設定の入力画面を示す図
【図１６】本発明の実施の形態における電力制御システムで利用される電力計から送信される電力計情報の例を示す図
【図１７】本発明の実施の形態における電力制御システムで利用されるリモコン側に送信されるセンター情報の例を示す図
【図１８】本発明の実施の形態における電力制御システムで利用されるリモコン側で保存される情報の例を示す図
【図１９】本発明の実施の形態における電力制御システムで利用されるリモコン側のフローチャートを示す図
【図２０】図１９に示す省エネ設定処理のフローチャートを示す図
【図２１】図１９及び図２０に示す電力計情報取得処理のフローチャートを示す図
【図２２】図２１に示す省エネ判定処理のフローチャートを示す図
【図２３】図１９に示すセンター情報取得処理のフローチャートを示す図
【図２４】本発明の実施の形態における電力制御システムで利用される電力計側のフローチャートを示す図
【符号の説明】
【００４２】
１００  ユーザ
１１０  リモコン
１２１  電化品（電化品）Ａ
１２２  電化品（電化品）Ｂ
１２３  電化品（電化品）Ｃ
１３１  電力計Ａ
１３２  電力計Ｂ
１３３  電力計Ｃ
１４０  通信局
１５０  ネットワーク
１６０  センター（ｗｅｂサイト）
３２１  操作部
３２２  要求生成部
３２３  省エネ判断部
３２４  解析部
３２５  保存部
３２６  表示データ生成部
３２７  表示部
３２８  電力計用通信部
３２９  通信局用通信部
３３０  通信局向けアンテナ
３３１  電力計向けアンテナ
４４１  リモコン用通信部
４４２  解析部
４４３  電化品制御部
４４４  赤外線利用電化品用通信部
４４５  電力線利用電化品用通信部
４４６  取得部
４４７  保存部
４４８  測定部
４４９  積算部
４５０  異常検出部
４６１  電力線
４７２  赤外線ポート
４７３  コンセント
【図１】
2006148450.tif 000003
【図２】
2006148450.tif 000004
【図３】
2006148450.tif 000005
【図４】
2006148450.tif 000006
【図５】
2006148450.tif 000007
【図６】
2006148450.tif 000008
【図７】
2006148450.tif 000009
【図８】
2006148450.tif 000010
【図９】
2006148450.tif 000011
【図１０】
2006148450.tif 000012
【図１１】
2006148450.tif 000013
【図１２】
2006148450.tif 000014
【図１３】
2006148450.tif 000015
【図１４】
2006148450.tif 000016
【図１５】
2006148450.tif 000017
【図１６】
2006148450.tif 000018
【図１７】
2006148450.tif 000019
【図１８】
2006148450.tif 000020
【図１９】
2006148450.tif 000021
【図２０】
2006148450.tif 000022
【図２１】
2006148450.tif 000023
【図２２】
2006148450.tif 000024
【図２３】
2006148450.tif 000025
【図２４】
2006148450.tif 000026